(57)【要約】【課題】回転する光学板に設けられた蛍光体層等の蛍光領域の長寿命化を図るとともに、その蛍光領域に輝度飽和が生じることを抑制する。【解決手段】光源装置１が、励起光発生装置１０と、蛍光領域３４ａ及び光拡散透過領域３４ｂが設けられた光学板３４と、光学板３４を回転する回転駆動器３３と、光源制御部７０とを備える。光源制御部７０は、回転駆動器３３の回転周期が１フレーム期間の２以上の整数分の１になるように回転駆動器３３を回転させる。光源制御部７０は、蛍光領域３４ａが励起ビームの光軸を通過し始めてから通過し終わるまでの期間中に励起光発生装置１０を点灯させることを１フレーム期間中に一回以上行い、蛍光領域３４ａが励起ビームの光軸を通過し始めてから通過し終わるまでの期間中に励起光発生装置１０を消灯させることを１フレーム期間中に一回以上行う。【選択図】図１
2014170064.tif 000002
【特許請求の範囲】
【請求項１】
励起光を発する励起光発生装置と、
前記励起光の光軸に交差し、その交点を通った周方向に沿って蛍光領域及び光拡散透過領域が設けられた光学板と、
前記光学板を周方向に回転させる回転駆動器と、
前記励起光発生装置及び前記回転駆動器を制御する光源制御部と、を備え、
前記光源制御部は、前記光学板の回転周期を１フレームの映像が生成される１フレーム期間の２以上の整数分の１に制御するように前記回転駆動器を制御して、前記光学板を回転させ、
前記光源制御部は、前記蛍光領域が前記励起光の光軸を通過し始めてから通過し終わるまでの期間中に前記励起光発生装置を点灯させることを前記１フレーム期間中に一回以上行い、前記蛍光領域が前記励起光の光軸を通過し始めてから通過し終わるまでの期間中に前記励起光発生装置を消灯させることを前記１フレーム期間中に一回以上行う、
ことを特徴とする光源装置。
【請求項２】
前記光源制御部は、前記光拡散透過領域が前記励起光の光軸を通過する期間中に前記励起光発生装置を点灯させる、
ことを特徴とする請求項１に記載の光源装置。
【請求項３】
前記光源制御部は、前記光拡散透過領域が前記励起光の光軸を通過する期間中に前記励起光発生装置を点灯させることを前記１フレーム期間中に前記整数倍の数の回数だけ行う、
ことを特徴とする請求項２に記載の光源装置。
【請求項４】
前記励起光と異なる色の光を発する光源を更に備え、
前記光源制御部は、前記蛍光領域が前記励起光の光軸を通過し始めてから通過し終わるまでの期間中に前記励起光発生装置を消灯させて前記光源を点灯させ、前記蛍光領域が前記励起光の光軸を通過し始めてから通過し終わるまでの期間中に前記励起光発生装置を点灯させて前記光源を消灯させる
ことを特徴とする請求項１から３の何れか一項に記載の光源装置。
【請求項５】
前記光源制御部は、前記光拡散透過領域が前記励起光の光軸を通過する期間中に前記光源を消灯させる、
ことを特徴とする請求項４に記載の光源装置。
【請求項６】
請求項１から５の何れか一項に記載の光源装置と、
前記光源装置によって発せられた光が照射され、１フレームの映像を複数色の映像に時間で分割して１フレームの期間中に複数色の映像を生成する表示素子と、
前記表示素子によって生成される映像を投影する投影光学系と、
を備える、
ことを特徴とする投影装置。
【請求項７】
励起光を発する励起光発生装置と、
前記励起光の光軸に交差し、その交差する点を通った周方向に沿って蛍光領域及び光拡散透過領域が設けられた光学板と、
前記光学板を周方向に回転させる回転駆動器と、
前記回転駆動器を等速度で回転させるとともに、前記光学板の回転周期の偶数倍の周期で前記励起光発生装置を点滅させる光源制御部と、を備え、
前記光源制御部は、前記励起光発生装置の１点滅周期のうち前記蛍光領域が前記励起光の光軸を１回通過する期間中に前記励起光発生装置を消灯させ、残りの期間中に前記励起光発生装置を点灯させる、
ことを特徴とする光源装置。
【請求項８】
前記励起光と異なる色の光を発する光源を更に備え、
前記光源制御部が、前記励起光発生装置の点滅周期に等しい周期で且つ前記励起光発生装置の点滅の逆位相で前記光源を点滅させる、
ことを特徴とする請求項７に記載の光源装置。
【請求項９】
請求項７又は８に記載の光源装置と、
前記光源装置によって発せられた光が照射され、１フレームの映像を複数色の映像に時間で分割して１フレームの期間中に複数色の映像を生成する表示素子と、
前記表示素子によって生成される映像を投影する投影光学系と、
を備え、
前記表示素子の１フレームの周期が前記励起光発生装置の点滅周期の自然数倍である、
ことを特徴とする投影装置。
【発明の詳細な説明】
【技術分野】
【０００１】
本発明は光源装置及び投影装置に関する。
【背景技術】
【０００２】
特許文献１には、複数色の光を時分割で出射する時分割式の光源装置が開示されている。この光源装置の蛍光ホイールには、蛍光体層が中心角１８０°で周方向に沿って設けられ、拡散透過層が中心角１８０°で周方向に沿って設けられている（特許文献１の図６参照）。この蛍光ホイールはモーターによって回転され、励起光を発する励起光光源の光軸が蛍光ホイールに交差し、別に赤色の光源もある。励起光光源及び赤色光源は高速で点滅し、励起光光源及び赤色光源の点滅周期がモーターの回転周期に等しく、励起光光源の点滅と赤色光源の点滅が逆位相である（図６参照（ａ）参照）。励起光光源の点灯中には赤色光源が消灯し、その期間中に拡散透過層の一部と蛍光体層の一部が励起光の光軸を通過する。励起光光源の点灯期間中に拡散透過層が励起光の光軸を通過すれば、拡散透過層を通過した青色の励起光が光源装置から出射され、励起光光源の点灯期間中に蛍光体層が励起光の光軸を通過すれば、蛍光体層から発せられた緑色光が光源装置から出射される。励起光光源の消灯中は赤色光源が点灯し、赤色光源から発せられた赤色光が光源装置から出射される。
【先行技術文献】
【特許文献】
【０００３】
【特許文献１】特開２０１１−１７０３６３号公報
【発明の概要】
【発明が解決しようとする課題】
【０００４】
特許文献１に記載の技術では、励起光が照射される領域は蛍光体層の一部である。モーター及び励起光光源が周期的に動作するので、励起光が照射される領域が蛍光体層の一部のみに限定されてしまう。そのため、蛍光体層の寿命が短くなる虞がある。また、蛍光体層に輝度飽和現象が生じることがある。輝度飽和とは、照射される励起光のエネルギー密度が或る一定の値を超えると、蛍光強度がエネルギー密度の上昇に伴って高くならない現象をいう。
【０００５】
そこで、本発明が解決しようとする課題は、回転する光学板に設けられた蛍光体層等の蛍光領域の長寿命化を図るととともに、その蛍光領域に輝度飽和が生じることを抑制することである。
【課題を解決するための手段】
【０００６】
以上の課題を解決するために、本発明に係る光源装置は、励起光を発する励起光発生装置と、前記励起光の光軸に交差し、その交点を通った周方向に沿って蛍光領域及び光拡散透過領域が設けられた光学板と、前記光学板を周方向に回転させる回転駆動器と、前記励起光発生装置及び前記回転駆動器を制御する光源制御部と、を備え、前記光源制御部は、前記光学板の回転周期を１フレームの映像が生成される１フレーム期間の２以上の整数分の１に制御するように前記回転駆動器を制御して、前記光学板を回転させ、前記光源制御部は、前記蛍光領域が前記励起光の光軸を通過し始めてから通過し終わるまでの期間中に前記励起光発生装置を点灯させることを前記１フレーム期間中に一回以上行い、前記蛍光領域が前記励起光の光軸を通過し始めてから通過し終わるまでの期間中に前記励起光発生装置を消灯させることを前記１フレーム期間中に一回以上行うことを特徴とする。
【０００７】
本発明に係る光源装置は、励起光を発する励起光発生装置と、前記励起光の光軸に交差し、その交差する点を通った周方向に沿って蛍光領域及び光拡散透過領域が設けられた光学板と、前記光学板を周方向に回転させる回転駆動器と、前記回転駆動器を等速度で回転させるとともに、前記光学板の回転周期の偶数倍の周期で前記励起光発生装置を点滅させる光源制御部と、を備え、前記光源制御部は、前記励起光発生装置の１点滅周期のうち前記蛍光領域が前記励起光の光軸を１回通過する期間中に前記励起光発生装置を消灯させ、残りの期間中に前記励起光発生装置を点灯させることを特徴とする。
【発明の効果】
【０００８】
本発明によれば、光学板の蛍光領域の長寿命化を図ることができる。また、その蛍光領域に輝度飽和が発生することを抑制することができる。
【図面の簡単な説明】
【０００９】
【図１】本発明の実施形態に係る投影装置の平面図である。
【図２】同実施形態に係る投影装置のブロック図である。
【図３】同実施形態に係る光学板の平面図である。
【図４】表示素子、光源、励起光発生装置及びスピンドルモーターの周期及び動作タイミングを説明するためのタイミングチャートである。
【図５】表示素子、光源、励起光発生装置及びスピンドルモーターの周期及び動作タイミングを説明するためのタイミングチャートである。
【図６】表示素子、光源、励起光発生装置及びスピンドルモーターの周期及び動作タイミングを説明するためのタイミングチャートである。
【発明を実施するための形態】
【００１０】
以下に、本発明を実施するための形態について、図面を用いて説明する。但し、以下に述べる実施形態には、本発明を実施するために技術的に好ましい種々の限定が付されているが、本発明の範囲を以下の実施形態及び図示例に限定するものではない。
【００１１】
図１は投影装置１００の平面図である。図２は投影装置１００のブロック図である。
投影装置１００は光源装置（時分割光発生装置、シーケンシャルカラー発生装置）１、光源側光学系２、表示素子３及び投影光学系４等を備える（図１参照）。更に、投影装置１００は映像信号処理部９１、表示コントローラ９２、ＶＲＡＭ９３及びシステムコントローラ９４を備える（図２参照）。
【００１２】
映像信号処理部９１には映像入力端子が設けられている。外部機器によって出力された映像信号がビデオケーブル及び映像入力端子を通じて映像信号処理部９１に入力される。映像信号処理部９１は、外部機器から入力した映像信号に対して各種の信号処理を行う。例えば、映像信号処理部９１は、外部機器から入力した映像信号のスケーリングを行って、映像信号の解像度を増減したり、映像信号のアスペクト比を変更したり、映像信号に対してデジタルキーストーン補正を行ったりする。
【００１３】
表示コントローラ９２は、映像信号処理部９１によって信号処理された映像信号に基づいて表示素子３を駆動する。また、表示コントローラ９２は、映像信号処理部９１によって信号処理された映像信号に基づいて光源装置１（特に、光源装置１の光源制御部７０）を制御する。
【００１４】
ＶＲＡＭ９３は映像信号を一時的に記憶するものであり、映像信号処理部９１が信号処理の際に映像信号を一時的に記録するとともに読み出す。更に、表示コントローラ９２がＶＲＡＭ９３に一時的に記録された映像信号を読み取る。
【００１５】
システムコントローラ９４は表示コントローラ９２及び光源装置１（特に、光源制御部７０）を統合的に制御する。
【００１６】
光源装置１は、出射光を互いに異なる複数色の光に時間で分割して、それら複数色の光を出射する。具体的には、光源装置１は赤色光、緑色光及び青色光を所定の順序で繰り返し出射するものである。光源装置１は、１周期あたり赤色光、緑色光及び青色光をそれぞれ少なくとも一回照射する。１周期は、表示素子３によって１フレームのカラー映像が生成される期間である。尚、本実施形態では、以下カラー映像を例に用いて説明するが、本発明はそれに限定されず、例えばモノクロの映像を映し出す場合においても適応できるのは勿論である。
【００１７】
光源側光学系２は、光源装置１から出射された赤色光、緑色光及び青色光を表示素子３に投射する。光源側光学系２は導光装置（インテグレータ）２ａ、レンズ２ｂ、光軸変換ミラー２ｃ、レンズ群２ｄ、照射ミラー２ｅ及びフィールドレンズ２ｆを有する（図１参照）。このうちフィールドレンズ２ｆは光源側光学系２と投影光学系４に兼用される。
【００１８】
導光装置２ａはライトトンネル又はライトロッドである。導光装置２ａは、光源装置１によって出射された赤色光、緑色光及び青色光を側面で複数回反射又は全反射させることで、赤色光、緑色光及び青色光を均一な強度分布の光束にする。レンズ２ｂは、導光装置２ａによって導光された赤色光、緑色光及び青色光を光軸変換ミラー２ｃに向けて投射するとともに、集光する。光軸変換ミラー２ｃは、レンズ２ｂによって投射された赤色光、緑色光及び青色光をレンズ群２ｄに向けて反射させる。レンズ群２ｄは、光軸変換ミラー２ｃによって反射された赤色光、緑色光及び青色光を照射ミラー２ｅに向けて投射するとともに、集光する。照射ミラー２ｅは、レンズ群２ｄによって投射された光を表示素子３に向けて反射させる。フィールドレンズ２ｆは、照射ミラー２ｅによって反射された光を表示素子３へ投射する。
【００１９】
表示素子３は空間光変調器であり、光源側光学系２によって照射された赤色光、緑色光及び青色光を各画素で変調することによって映像が生成される。表示素子３が１周期当たりに１フレームのカラー映像を生成し、１フレームのカラー映像が赤色映像、緑色映像及び青色映像に時間で分割される。つまり、表示素子３が１周期当たりに赤色映像、緑色映像及び青色映像をそれぞれ少なくとも一回生成し、１周期に形成された赤色映像、緑色映像及び青色映像を時間で合成したものが１フレームのカラー映像に相当する。
【００２０】
表示素子３の周期と光源装置１の周期とが等しい。表示素子３の周期は、１フレームのカラー映像が生成される周期に相当する。つまり、表示素子３の周期は、表示素子３によって赤色映像、緑色映像及び青色映像がそれぞれ少なくとも一回生成される周期に相当する。
光源装置１によって赤色光が出射される期間に同期して、表示素子３が赤色の映像を生成する。光源装置１によって緑色光が出射される期間に同期して、表示素子３が緑色の映像を生成する。光源装置１によって青色光が出射される期間に同期して、表示素子３が青色の映像を生成する。表示素子３の周期や表示動作は表示コントローラ９２によって制御される。表示コントローラ９２は、表示素子３の周期中の位相を光源制御部７０に出力する。
【００２１】
表示素子３は、二次元アレイ状に配列された複数の可動マイクロミラー等を有するデジタル・マイクロミラー・デバイス（ＤＭＤ）である。表示素子３は表示コントローラ９２によって駆動される。つまり、赤色光が表示素子３に照射されている時に、表示素子３の各可動マイクロミラーが制御（例えば、ＰＷＭ制御）されることで、赤色光が投影光学系４に向けて反射される時間比（デューティー比）が可動マイクロミラー毎に制御される。これにより、表示素子３によって赤色の映像が生成される。緑色光や青色光が表示素子３に照射されている際も、同様である。
【００２２】
なお、表示素子３が反射型の空間光変調器ではなく、透過型の空間光変調器（例えば、液晶シャッターアレイパネル：いわゆる液晶表示器）であってもよい。表示素子３が透過型の空間光変調器である場合、光源側光学系２の光学設計を変更し、光源側光学系２によって照射される赤色光、緑色光及び青色光の光軸が後述の投影光学系４の光軸に重なるようにして、投影光学系４と光源側光学系２との間に表示素子３を配置する。
【００２３】
投影光学系４は複数枚のレンズからなるレンズ列である。投影光学系４は表示素子３に対向するように設けられ、投影光学系４の光軸が前後に延びて表示素子３に交差する。投影光学系４は、表示素子３によって反射された光を前方に投射することによって、表示素子３によって生成された映像をスクリーンに投影する。この投影光学系４は可動レンズ群４ａ及び固定レンズ群４ｂ等を備える。投影光学系４は、可動レンズ群４ａの移動によって、焦点距離が変更可能であるとともに、フォーカシングが可能である。
【００２４】
以下、光源装置１について具体的に説明する。光源装置１は励起光発生装置１０、縮小光学系２０、光源３１、励起光変換装置３２、光路合成光学系４０及び集光光学系５０等を備える（図１参照）。更に光源装置１は光源制御部７０、モータードライバー７１及び位相センサー７２を備える（図２参照）。
【００２５】
・励起光発生装置１０について
励起光発生装置１０は、平行光である励起光（励起ビーム）を発する。励起光発生装置１０によって発せられた励起光は、互いに平行に進行する複数の励起光線の束である。励起光発生装置１０は複数の励起光光源１１、複数のコリメータ−レンズ１２及び複数の反射ミラー１３を有する。励起光発生装置１０によって発せられた励起光は、後述の蛍光体層３４ｅを励起するものである。
【００２６】
励起光光源１１は励起光線を発する半導体発光素子であり、より具体的には青色レーザーダイオードである。これら励起光光源１１が図１の紙面に対して垂直な面に沿って二次元アレイ状（格子状）に配列されている。複数のコリメータ−レンズ１２が図１の紙面に対して垂直な面に沿って二次元アレイ状（格子状）に配列されている。コリメータ−レンズ１２が励起光光源１１にそれぞれ対向する。反射ミラー１３が励起光光源１１から発した励起光線の光軸に対して斜めになるように励起光光源１１及びコリメータ−レンズ１２に相対し、コリメータ−レンズ１２によってコリメートされた励起光線の光軸が反射ミラー１３によって９０°変換される。これら反射ミラー１３は階段状に配列されている。コリメータ−レンズ１２によってコリメートされた励起光線の光軸の間隔がこれら反射ミラー１３によって狭められ、これら反射ミラー１３によって反射された励起光線の束全体としての光径は、反射ミラー１３によって反射される前のレーザー光の束全体としての光径よりも細くなる。これら反射ミラー１３によって反射された励起光線は略平行に進行し、これら励起光線の束は平行光であり、これら励起光線の束が励起光発生装置１０によって発せられた励起光（青色光）である。
【００２７】
励起光発生装置１０及び励起光光源１１が点滅する。励起光発生装置１０及び励起光光源１１の点滅は肉眼で識別できない程高速である。励起光発生装置１０及び励起光光源１１の点滅周期は表示素子３の周期以上であり、表示素子３によって１フレームのカラー映像が生成される期間中に励起光発生装置１０及び励起光光源１１が１回以上点滅する。
【００２８】
なお、励起光光源１１及びコリメータ−レンズ１２の組数が一組であり、反射ミラー１３が無くてもよい。その場合、コリメータ−レンズ１２及び励起光光源１１の光軸が、光学板３４の中心からずれた位置において光学板３４に直交する。また、その場合、縮小光学系２０が無くてもよい。
【００２９】
・縮小光学系２０について
縮小光学系２０は、レンズ２１，２２からなるレンズ群である。縮小光学系２０は、反射ミラー１３により励起光線が反射される側に配置されている。また、縮小光学系２０は、縮小光学系２０の光軸が反射ミラー１３によって反射された励起光線の束の光軸と一致するように配置されている。縮小光学系２０は、励起光発生装置１０によって発せられた励起光の径を縮小する。つまり、縮小光学系２０は、複数の反射ミラー１３によって反射された励起光線の束を集光させて、これらレーザー光の間隔を狭める。
【００３０】
・励起光変換装置３２について
【００３１】
励起光変換装置３２は、励起光を蛍光（緑色光）及び拡散透過光（青色光）に変換する。つまり、励起光変換装置３２は、励起光発生装置１０によって発せられた励起光から蛍光を生成するとともに、その励起光を拡散するように透過させることによって拡散透過光を生成する。励起光変換装置３２によって生成された蛍光は、励起光の進行方向の反対向きに進行する。励起光変換装置３２によって生成された拡散透過光は、励起光の進行方向と同一向きに進行する。
【００３２】
励起光変換装置３２は、スピンドルモーター（回転駆動器）３３及び光学板３４を有する。
スピンドルモーター３３は光学板３４を周方向に回転させる。スピンドルモーター３３が等速度で回転し、スピンドルモーター３３の回転周期が一定である。スピンドルモーター３３の回転周期が表示素子３の周期の２以上の整数（偶数であることが好ましい）分の１であり、スピンドルモーター３３の回転周期の２以上の整数（偶数であることが好ましい。）倍が表示素子３の周期である。つまり、表示素子３によって１フレームのカラー映像が生成される期間中にスピンドルモーター３３が光学板３４を２回以上回転させる。
【００３３】
光学板３４が円板状に設けられ、光学板３４の中心がスピンドルモーター３３の駆動軸に連結されている。光学板３４は、スピンドルモーター３３の駆動軸からずれた位置において励起光発生装置１０によって発せられた励起光の光軸に対して直交する。
【００３４】
図３は光学板３４の平面図である。図３を見る方向と図１を見る方向は垂直である。図３に示すように、光学板３４は周方向に沿う２つセグメント３４ａ，３４ｂに分けられており、第一セグメント３４ａが蛍光領域であり、第二セグメント３４ｂが光拡散透過領域である。第一セグメント３４ａと第二セグメント３４ｂは同一円周上に設けられている。第一セグメント３４ａと第二セグメント３４ｂの中心角の比率は例えば「２対１」又は「１対１」である。但し、第一セグメント３４ａと第二セグメント３４ｂの分割比は特に限定するものでない。以下、光学板３４、第一セグメント３４ａ及び第二セグメント３４ｂについて詳細に説明する。
【００３５】
光学板３４はホイール板３４ｄ、蛍光体層３４ｅ及び拡散透過板３４ｆ等を有する。ホイール板３４ｄの形状を大づかみに捉えた際のホイール板３４ｄの骨格的形状は円板である。ホイール板３４ｄの中心にスピンドルモーター３３の駆動軸が直結されている。そのため、スピンドルモーター３３の回転周期と光学板３４の回転周期が等しく、スピンドルモーター３３の回転速度（単位時間あたりの回転回数）と光学板３４の回転速度（単位時間あたりの回転回数）が等しい。そのため、光学板３４の回転周期が表示素子３の周期の２以上の整数（偶数であることが好ましい）分の１である。
スピンドルモーター３３の駆動軸が縮小光学系２０の光軸に対して平行であり、ホイール板３４ｄが縮小光学系２０の光軸に対して直交する。
【００３６】
ホイール板３４ｄには開口３４ｇが形成され、その開口３４ｇが周方向に延在している。なお、周方向とは、スピンドルモーター３３の駆動軸を中心とした円周方向をいい、軸方向とは、スピンドルモーター３３の駆動軸が延びる方向をいう。
【００３７】
蛍光体層３４ｅがホイール板３４ｄの表側の面に形成されている。蛍光体層３４ｅとホイール板３４ｄの接合界面が鏡面仕上げされ、蛍光体層３４ｅから発した蛍光の利用効率が向上している。なお、鏡面仕上げされたホイール板３４ｄの表側の面が縮小光学系２０に向いている。
【００３８】
軸方向に見て、蛍光体層３４ｅは周方向に延びるように円弧帯状に形成されている。蛍光体層３４ｅと開口３４ｇが周方向に並設され、蛍光体層３４ｅと開口３４ｇが同一回転軌道上にある。つまり、軸方向に見て、蛍光体層３４ｅと開口３４ｇとは、スピンドルモーター３３の駆動軸を中心とした同一円周上に配置されている。この蛍光体層３４ｅが形成された部位が第一セグメント３４ａに相当する。
【００３９】
なお、蛍光体層３４ｅが円弧帯状に形成されているのではなく、蛍光体層３４ｅがホイール板３４ｄの表側の面全体に形成されていてもよいし、蛍光体層３４ｅがスピンドルモーター３３の駆動軸を中心とした扇形状に形作られてもよい。
【００４０】
円板状の拡散透過板３４ｆがホイール板３４ｄの裏側の面に貼り付けられ、開口３４ｇが拡散透過板３４ｆによって閉塞されている。拡散透過板３４ｆのうち開口３４ｇを閉塞した部位が第二セグメント３４ｂに相当する。
【００４１】
励起光発生装置１０が点灯している時に蛍光体層３４ｅが励起光の光軸を通過すると、蛍光体層３４ｅから蛍光（緑色光）が発する。励起光発生装置１０が点灯している時に拡散透過板３４ｆが励起光の光軸を通過すると、励起光が拡散透過板３４ｆを透過して、その透過の際に励起光が拡散される。
【００４２】
・光源３１について
【００４３】
光源３１は、励起光変換装置３２によって生成される蛍光（緑色光）及び拡散透過光（青色光）と異なる色の光を発する。即ち、光源３１は、蛍光及び拡散透過光とは異なる波長帯域の光を発する。具体的には、光源３１は赤色光を発する。
光源３１は半導体発光素子であり、より具体的には赤色発光ダイオードである。尚、本実施形態では光源３１は発光ダイオードであるが、発光ダイオードに限らない。
光源３１によって発せられた赤色光の光軸は、励起光光源１１によって発せられた励起光線の光軸に対して平行である。光源３１によって発せられた赤色光の光軸は、励起光発生装置１０によって発せられた励起光の光軸に対して直交する。
【００４４】
光源３１は点滅する。光源３１の点滅は肉眼で識別できない程高速である。光源３１の点滅周期は表示素子３の周期以上であり、表示素子３によって１フレームのカラー映像が生成される期間中に光源３１が１回以上点滅する。
【００４５】
・光路合成光学系４０について
【００４６】
光路合成光学系４０は光源３１によって発せられた赤色光、励起光変換装置３２によって生成された蛍光（緑色光）及び励起光変換装置３２によって発せられた拡散透過光（青色光）を同一光路に合成する。
【００４７】
光路合成光学系４０は第一光路合成部材４１、第二光路合成部材４２、第一反射ミラー４３及び第二反射ミラー４４を有する。
【００４８】
第一光路合成部材４１は光源３１によって発せられた赤色光と励起光変換装置３２によって生成された蛍光を同一光路に合成する。第一光路合成部材４１は、光源３１によって発せられた赤色光の光軸と励起光発生装置１０によって発せられた励起光の光軸との交差部に配置されている。第一光路合成部材４１は、光源３１によって発せられた赤色光の光軸に対して４５°で斜交するとともに、励起光発生装置１０によって発せられた励起光の光軸に対して４５°で斜交する。
【００４９】
第一光路合成部材４１は、ダイクロイックミラーである。第一光路合成部材４１は、所定帯域の光（緑色光）を反射し、その所定帯域外の光（赤色光、青色光）を透過させる。具体的には、第一光路合成部材４１は、励起光発生装置１０によって発せられた励起光（青色光）を励起光変換装置３２の光学板３４に向けて透過させる。また、第一光路合成部材４１は、光源３１によって発せられた赤色光を第二光路合成部材４２に向けて透過させる。また、第一光路合成部材４１は、光学板３４の蛍光体層３４ｅによって生成された蛍光（緑色光）を第二光路合成部材４２に向けて反射する。これにより、光学板３４の蛍光体層３４ｅによって生成された蛍光の光路が、光源３１によって発せられた赤色光の光路に合成される。
【００５０】
第一反射ミラー４３は、光学板３４に関して第一光路合成部材４１の反対側に配置されている。第一反射ミラー４３は、第一光路合成部材４１に対して垂直に設けられている。第一反射ミラー４３は、励起光発生装置１０によって発せられた励起光の光軸に対して直交する。更に、第一反射ミラー４３は、光学板３４の拡散透過板３４ｆを透過した拡散透過光の光軸に対して４５°で斜交する。
【００５１】
第一反射ミラー４３は、光学板３４の拡散透過板３４ｆを透過した拡散透過光を第二反射ミラー４４に向けて反射する。第一反射ミラー４３によって反射された拡散透過光の光軸は、第一光路合成部材４１によって光路が合成された蛍光及び赤色光の光軸に対して平行である。第一反射ミラー４３によって反射された拡散透過光の進行方向は、第一光路合成部材４１によって光路が合成された蛍光及び赤色光の進行方向と同じである。
【００５２】
第二反射ミラー４４は、第一光路合成部材４１に対して平行に設けられている。第二反射ミラー４４は、第一反射ミラー４３に対して垂直に設けられている。第二反射ミラー４４は、第一反射ミラー４３によって反射された拡散透過光の光軸に対して４５°で遮光する。
【００５３】
第二反射ミラー４４は、第一反射ミラー４３によって反射された拡散透過光を第二光路合成部材４２に向けて反射する。第二反射ミラー４４によって反射された拡散透過光の光軸は、第一光路合成部材４１によって光路が合成された蛍光及び赤色光の光軸に対して直交する。
【００５４】
第二光路合成部材４２は、第一光路合成部材４１に関して光源３１の反対側に配置されている。第二光路合成部材４２と第一光路合成部材４１は互いに平行に設けられている。第二光路合成部材４２は、第一光路合成部材４１によって光路が合成された蛍光及び赤色光の光軸と第二反射ミラー４４によって反射された拡散透過光の光軸との交差部に配置されている。第二光路合成部材４２は、第一光路合成部材４１によって光路が合成された蛍光及び赤色光の光軸に対して４５°で斜交する。第二光路合成部材４２は、第二反射ミラー４４によって反射された拡散透過光の光軸に対して４５°で斜交する。
【００５５】
第二光路合成部材４２は、ダイクロイックミラーである。第二光路合成部材４２は、所定帯域の光（青色光）を透過させ、その所定帯域外の光（赤色光、緑色光）を反射する。具体的には、第二光路合成部材４２は、第一光路合成部材４１によって反射された蛍光（緑色光）を導光装置２ａに向けて反射する。また、第二光路合成部材４２は、第一光路合成部材４１を通過した赤色光を導光装置２ａに向けて反射する。また、第二光路合成部材４２は、第二反射ミラー４４によって反射された拡散透過光（青色光）を導光装置２ａに向けて透過させる。これにより、第一光路合成部材４１によって光路が合成された赤色光及び蛍光は、第二反射ミラー４４によって反射された青色光の光路に合成される。
【００５６】
・集光光学系５０について
【００５７】
集光光学系５０は複数枚のレンズ５１〜５９からなる。
レンズ５１，５２が光源３１と第一光路合成部材４１との間に配置されている。レンズ５３が第一光路合成部材４１と第二光路合成部材４２との間に配置されている。レンズ５１〜５３はこれらの光軸が重なるように配置されている。
【００５８】
レンズ５５，５６が光学板３４と第一光路合成部材４１との間に配置されている。レンズ５７が光学板３４と第一反射ミラー４３との間に配置されている。レンズ５５，５６，５７及び縮小光学系２０はこれらの光軸が重なるように配置されている。
【００５９】
レンズ５８が第一反射ミラー４３と第二反射ミラー４４との間に配置されている。レンズ５８の光軸とレンズ５７の光軸が第一反射ミラー４３において互いに直交する。レンズ５９が第二反射ミラー４４と第二光路合成部材４２との間に配置されている。レンズ５９の光軸とレンズ５８の光軸が第二反射ミラー４４において互いに直交する。レンズ５４が第二光路合成部材４２と導光装置２ａの間に配置されている。レンズ５４，５９はこれらの光軸が重なるように配置されている。レンズ５４，５９の光軸が第二光路合成部材４２においてレンズ５３の光軸に直交する。
【００６０】
・位相センサー７２
【００６１】
位相センサー７２はスピンドルモーター３３又は光学板３４の回転周期中の位相を検出する。位相センサー７２によって検出された位相は光源制御部７０に出力される。例えば位相センサー７２はロータリーエンコーダーである。
【００６２】
・モータードライバー７１
【００６３】
モータードライバー７１は、光源制御部７０の指令に従ってスピンドルモーター３３を駆動する。
【００６４】
・光源制御部７０
【００６５】
光源制御部７０はマイコン等からなる。光源制御部７０は、位相センサー７２によって検出された位相（スピンドルモーター３３又は光学板３４の回転周期中の位相）を入力する。光源制御部７０は、表示コントローラ９２によって出力された位相（表示素子３の周期中の位相）を入力する。
【００６６】
光源制御部７０は、位相センサー７２から入力した位相（スピンドルモーター３３又は光学板３４の回転周期中の位相）に基づいてスピンドルモーター３３をフィードバック制御する。例えば、光源制御部７０は、スピンドルモーター３３を等速度制御したり、スピンドルモーター３３の回転周期・回転速度の変更・調整をしたりする。また、光源制御部７０は、光源３１及び励起光発生装置１０（励起光光源１１）を点滅させる。
【００６７】
・表示素子３の周期、光源３１の点滅周期、励起光発生装置１０の点滅周期及び光学板３４の回転周期について（光学板３４の回転周期が表示素子３の周期の偶数分の１（但し、２以上の偶数分の１）である場合）
【００６８】
図４は、時間を横軸で表したタイミングチャートである。以下の説明において、ｎは自然数とする。
【００６９】
図４においては、光学板３４及びスピンドルモーター３３の回転周期が表示素子３の周期の２分の１であり、表示素子３によって１フレームのカラー映像が生成される期間（以下、１フレーム期間という。）中にスピンドルモーター３３が２回回転する。そのため、１フレーム期間中に、蛍光体層３４ｅが励起光の光軸を２回通過する。また、１フレーム期間中に、拡散透過板３４ｆが励起光の光軸を２回通過する。
【００７０】
１フレーム期間は、表示素子３の周期に等しい。１フレーム期間中では表示素子３が緑色映像、青色映像、赤色映像及び青色映像をこれらの順に生成する。そして、表示素子３は、緑色映像、青色映像、赤色映像及び青色映像をこれらの順に生成する事象を繰り返す。
【００７１】
光源制御部７０が、表示コントローラ９２から入力した位相（表示素子３の周期中の位相）に基づいてスピンドルモーター３３を制御することによって、光学板３４の回転周期の開始時（位相がゼロ）を表示素子３の周期の開始時（位相がゼロ）に同期させる。
【００７２】
蛍光体層３４ｅが励起光の光軸を１フレーム期間中の１回目（奇数回目）に通過する期間に同期して、表示素子３が緑色映像を生成する。拡散透過板３４ｆが励起光の光軸を１フレーム期間中の１回目（奇数回目）及び２回目（偶数回目）に通過する期間に同期して、表示素子３が青色映像を生成する。蛍光体層３４ｅが励起光の光軸を１フレーム期間中の２回目（偶数回目）に通過する期間に同期して、表示素子３が赤色映像を生成する。
【００７３】
光源制御部７０が、表示コントローラ９２から入力した位相（表示素子３の周期中有の位相）に基づいて励起光発生装置１０（特に励起光光源１１）の点滅周期を制御することによって、励起光発生装置１０の点滅周期の開始時（位相がゼロ）を表示素子３の周期の開始時（位相がゼロ）に同期させる。よって、光源制御部７０は、励起光発生装置１０の点滅周期の開始時とスピンドルモーター３３の回転周期（光学板３４の回転周期）の開始時を同期させる。
【００７４】
励起光発生装置１０の点滅周期が一定である。励起光発生装置１０の点滅周期と表示素子３の周期が互いに等しい。励起光発生装置１０の点滅周期が光学板３４及びスピンドルモーター３３の回転周期の２倍であり、光学板３４及びスピンドルモーター３３の回転速度（単位時間あたりの回転回数）が励起光発生装置１０の点滅速度（単位時間あたりの点滅回数）の２倍である。励起光発生装置１０の点滅周期を光学板３４及びスピンドルモーター３３の回転周期の２倍にする制御は、光源制御部７０によって行われる。
【００７５】
表示素子３が１フレーム期間中の緑色映像及び１，２回目の青色映像を生成する期間に同期して、励起光発生装置１０が点灯する。つまり、蛍光体層３４ｅが励起光の光軸を１フレーム期間中の１回目に通過する期間中、拡散透過板３４ｆが励起光の光軸を１フレーム期間中の１回目に通過する期間中、及び、拡散透過板３４ｆが励起光の光軸を１フレーム期間中の２回目に通過する期間中に、励起光発生装置１０が点灯する。
【００７６】
一方、表示素子３が赤色映像を生成する期間に同期して、励起光発生装置１０が消灯する。つまり、蛍光体層３４ｅが励起光の光軸を１フレーム期間中の２回目に通過する期間に同期して、励起光発生装置１０が消灯する。
【００７７】
よって、表示素子３が緑色映像を生成する期間に同期して、光源装置１が蛍光（緑色光）を出射する。また、表示素子３が１回目及び２回目の青色映像を生成する期間に同期して、光源装置１が拡散透過光（青色光）を出射する。
【００７８】
光源制御部７０が、表示コントローラ９２から入力した位相（表示素子３の周期中有の位相）に基づいて光源３１の点滅周期を制御することによって、光源３１の点滅周期の開始時（位相がゼロ）を表示素子３の周期の開始時（位相がゼロ）に同期させる。よって、光源制御部７０は、光源３１の点滅周期の開始時とスピンドルモーター３３の回転周期（光学板３４の回転周期）の開始時を同期させる。更に、光源制御部７０は、光源３１の点滅周期の開始時と励起光発生装置１０の回転周期の開始時を同期させる。
【００７９】
光源３１の点滅周期が一定である。光源３１の点滅周期と励起光発生装置１０の点滅周期と表示素子３の周期が互いに等しい。光源３１の点滅周期は光学板３４及びスピンドルモーター３３の回転周期の２倍であり、光学板３４及びスピンドルモーター３３の回転速度（単位時間あたりの回転回数）が光源３１の点滅速度（単位時間あたりの点滅回数）の２倍である。光源３１の点滅周期を光学板３４及びスピンドルモーター３３の回転周期の２倍にする制御は、光源制御部７０によって行われる。
【００８０】
光源３１は励起光発生装置１０の点滅の逆位相で点滅する。つまり、励起光発生装置１０の消灯に同期して光源３１が点灯し、励起光発生装置１０の点灯に同期して光源３１が消灯する。励起光発生装置１０の点滅と光源３１の点滅を逆位相にする制御は、光源制御部７０によって行われる。
【００８１】
表示素子３が赤色映像を生成する期間に同期して、光源３１が点灯する。つまり、蛍光体層３４ｅが励起光の光軸を１フレーム期間中の２回目に通過する期間に同期して、光源３１が点灯する。
【００８２】
一方、表示素子３が１フレーム期間中の緑色映像及び１，２回目の青色映像を生成する期間に同期して、光源３１が消灯する。つまり、蛍光体層３４ｅが励起光の光軸を１フレーム期間中の１回目に通過する期間中、拡散透過板３４ｆが励起光の光軸を１フレーム期間中の１回目に通過する期間中、及び、拡散透過板３４ｆが励起光の光軸を１フレーム期間中の２回目に通過する期間中に同期して、光源３１が消灯する。
【００８３】
従って、蛍光体層３４ｅが励起光の光軸を通過し始めてから通過し終わるまでの期間中に励起光発生装置１０の点灯及び光源３１の消灯が継続することは、１フレーム期間中に１回ある。蛍光体層３４ｅが励起光の光軸を通過し始めてから通過し終わるまでの期間中に励起光発生装置１０の消灯及び光源３１の点灯が継続することは、１フレーム期間中に１回ある。また、拡散透過板３４ｆが励起光の光軸を通過し始めてから通過し終わるまでの期間中に励起光発生装置１０の点灯及び光源３１の消灯が継続することは、１フレーム期間中に２回ある。
【００８４】
以上のように、光学板３４及びスピンドルモーター３３の回転速度が励起光発生装置１０の点滅速度の２倍となって、光学板３４が高速に回転するから、微小時間当たりに励起光が蛍光体層３４ｅに照射される面積が広くなる。つまり、蛍光体層３４ｅに照射される励起光のエネルギーが周方向に分散される。よって、蛍光体層３４ｅの温度上昇を抑制することができるとともに、蛍光体層３４ｅの輝度飽和の発生を抑えることができる。輝度飽和とは、照射される励起光のエネルギー密度が或る一定の値を超えると、蛍光強度がエネルギー密度度の上昇に伴って高くならない現象をいう。
【００８５】
蛍光体層３４ｅが励起光の光軸を通過し始めてから通過し終わるまで（但し、１フレーム期間中の１回目）、励起光が蛍光体層３４ｅに照射される。つまり、蛍光体層３４ｅの周方向全体が励起光の照射領域として使用される。よって、蛍光体層３４ｅの局所的な温度上昇及び劣化等を抑えることができ、蛍光体層３４ｅの寿命が長期化する。
【００８６】
励起光発生装置１０の点滅周期が光学板３４及びスピンドルモーター３３の回転周期の２倍であり、蛍光体層３４ｅが励起光の光軸を通過し始めてから通過し終わるまで（但し、１フレーム期間中の２回目）、励起光発生装置１０が消灯する。そのため、その期間を赤色光の出射期間及び蛍光体層３４ｅの空冷期間として利用することができる。
【００８７】
青色光（拡散透過光）の出射回数及び青色映像の生成回数が１フレーム期間あたりに２回となるから、いわゆるカラーブレーキングを抑えることができる。カラーブレーキングとは、投影されるカラー映像の色が時間で分離して見えて、そのカラー映像の要素でない虹のような残像が生じることをいう。
【００８８】
続いて、図５を参照して、スピンドルモーター３３及び光学板３４の回転周期が表示素子３の周期の４以上の偶数分の１である場合について説明する。図５は、時間を横軸で表したタイミングチャートである。
【００８９】
蛍光体層３４ｅが励起光の光軸を１フレーム期間中の奇数回目に通過する期間に同期して、表示素子３が緑色映像を生成する。拡散透過板３４ｆが励起光の光軸を１フレーム期間中の奇数回目及び偶数回目に通過する期間に同期して、表示素子３が青色映像を生成する。蛍光体層３４ｅが励起光の光軸を１フレーム期間中の偶数回目に通過する期間に同期して、表示素子３が赤色映像を生成する。
【００９０】
励起光発生装置１０の点滅周期が一定である。励起光発生装置１０の点滅周期が光学板３４及びスピンドルモーター３３の回転周期の２倍であり、光学板３４及びスピンドルモーター３３の回転速度が励起光発生装置１０の点滅速度の２倍である。励起光発生装置１０の点滅周期を光学板３４及びスピンドルモーター３３の回転周期の２倍にする制御は、光源制御部７０によって行われる。
【００９１】
光学板３４及びスピンドルモーター３３の回転周期が表示素子３の周期の（２×ｎ）分の１であるとしたら、励起光発生装置１０の点滅周期が表示素子３の周期のｎ分の１である（このことは、光学板３４及びスピンドルモーター３３の回転周期が表示素子３の周期の４以上の偶数分の１である場合に限らず、光学板３４及びスピンドルモーター３３の回転周期が表示素子３の周期が２分の１である場合にもいえることである。）。
【００９２】
表示素子３が１フレーム期間中の各回目の緑色映像及びの各回目の青色映像を生成する期間に同期して、励起光発生装置１０が点灯する。つまり、蛍光体層３４ｅが励起光の光軸を１フレーム期間中の奇数回目に通過する期間中、及び、拡散透過板３４ｆが励起光の光軸を１フレーム期間中の各回目に通過する期間中に、励起光発生装置１０が点灯する。
【００９３】
一方、表示素子３が１フレーム期間中の各回目の赤色映像を生成する期間に同期して、励起光発生装置１０が消灯する。つまり、蛍光体層３４ｅが励起光の光軸を１フレーム期間中の偶数回目に通過する期間に同期して、励起光発生装置１０が消灯する。
【００９４】
光源３１の点滅周期が一定である。光源３１の点滅周期が光学板３４及びスピンドルモーター３３の回転周期の２倍であり、光学板３４及びスピンドルモーター３３の回転速度が光源３１の点滅速度の２倍である。光源３１の点滅周期を光学板３４及びスピンドルモーター３３の回転周期の２倍にする制御は、光源制御部７０によって行われる。
【００９５】
光学板３４及びスピンドルモーター３３の回転周期が表示素子３の周期の（２×ｎ）分の１であるとしたら、光源３１の点滅周期が表示素子３の周期のｎ分の１である（このことは、光学板３４及びスピンドルモーター３３の回転周期が表示素子３の周期の４以上の偶数分の１である場合に限らず、光学板３４及びスピンドルモーター３３の回転周期が表示素子３の周期の２分の１である場合にもいえることである。）。
【００９６】
表示素子３が１フレーム期間中の各回目の赤色映像を生成する期間に同期して、光源３１が点灯する。つまり、１フレーム期間中の蛍光体層３４ｅが励起光の光軸を偶数回目に通過する期間に同期して、光源３１が点灯する。
【００９７】
一方、表示素子３が１フレーム期間中の各回目の緑色映像及び各回目の青色映像を生成する期間に同期して、光源３１が消灯する。つまり、蛍光体層３４ｅが励起光の光軸を１フレーム期間中の奇数回目に通過する期間中、及び、拡散透過板３４ｆが励起光の光軸を１フレーム期間中の各回目に通過する期間中に、光源３１が消灯する。
【００９８】
従って、光学板３４及びスピンドルモーター３３の回転周期が表示素子３の周期の（２×ｎ）分の１であるとしたら、蛍光体層３４ｅが励起光の光軸を通過し始めてから通過し終わるまでの期間中に励起光発生装置１０の点灯及び光源３１の消灯が継続することは、１フレーム期間中にｎ回ある。また、蛍光体層３４ｅが励起光の光軸を通過し始めてから通過し終わるまでの期間中に励起光発生装置１０の消灯及び光源３１の点灯が継続することは、１フレーム期間中にｎ回ある。また、拡散透過板３４ｆが励起光の光軸を通過し始めてから通過し終わるまでの期間中に励起光発生装置１０の点灯及び光源３１の消灯が継続することは、１フレーム期間中に（２×ｎ）回ある。これは、光学板３４及びスピンドルモーター３３の回転周期が表示素子３の周期の２分の１である場合（ｎが１である場合）にもいえることである。
【００９９】
以上のように、光学板３４及びスピンドルモーター３３の回転周期が表示素子３の周期の４以上の整数分の１であっても、蛍光体層３４ｅの温度上昇を抑制することができるとともに、蛍光体層３４ｅの輝度飽和の発生を抑えることができる。更に、蛍光体層３４ｅの局所的な温度上昇及び劣化等を抑えることができ、蛍光体層３４ｅの寿命が長期化する。
【０１００】
また、表示素子３の周期が光学板３４及びスピンドルモーター３３の回転周期の（２×ｎ）倍であるとしたら、青色光の出射回数及び青色映像の生成回数が１フレーム期間あたりに（２×ｎ）回となる。また、緑色光の出射回数、赤色光の出射回数、緑色映像の生成回数及び赤色映像の生成回数がｎ回となる（表示素子３の周期が光学板３４及びスピンドルモーター３３の回転周期の４以上の整数倍であれば、ｎが２以上の値となる）。よって、カラーブレーキングを抑えることができる。
【０１０１】
なお、以上の説明では、蛍光体層３４ｅが励起光の光軸を１フレーム中の“奇数”回目に通過する期間に同期して、表示素子３が緑色映像を生成し、光源３１が消灯し、更に励起光発生装置１０が点灯する。それに対して、蛍光体層３４ｅが励起光の光軸を１フレーム期間中の“偶数”回目に通過する期間に同期して、表示素子３が緑色映像を生成し、光源３１が消灯し、更に励起光発生装置１０が点灯してもよい。この場合、蛍光体層３４ｅが励起光の光軸を１フレーム期間中の“奇数”回目に通過する期間に同期して、表示素子３が赤色映像を生成するとともに、光源３１が点灯し、更に励起光発生装置１０が消灯する。更に、拡散透過板３４ｆが励起光の光軸を１フレーム期間中の各回目に通過する期間に同期して、表示素子３が青色映像を生成し、光源３１が消灯し、励起光発生装置１０が点灯する。
【０１０２】
・表示素子３の周期、光源３１の点滅周期、励起光発生装置１０の点滅周期及び光学板３４の回転周期について（光学板３４の回転周期が表示素子３の周期の奇数（但し、３以上の奇数）分の１である場合）
【０１０３】
図６は、時間を横軸で表したタイミングチャートである。
【０１０４】
図６においては、光学板３４及びスピンドルモーター３３の回転周期が表示素子３の周期の（２×ｎ＋１）分の１であり、表示素子３によって１フレームのカラー映像が生成される期間中にスピンドルモーター３３が（２×ｎ＋１）回回転する。そのため、表示素子３によって１フレームのカラー映像が生成される期間中に、蛍光体層３４ｅが励起光の光軸を（２×ｎ＋１）回通過する。また、表示素子３によって１フレームのカラー映像が生成される期間中に、拡散透過板３４ｆが励起光の光軸を（２×ｎ＋１）回通過する。
【０１０５】
１フレーム期間中では表示素子３が緑色映像を（ｎ＋１）回、青色映像を（２×ｎ＋１回）、赤色映像を（ｎ＋１）回生成する。よって、カラーブレーキングを抑制することができる。
【０１０６】
蛍光体層３４ｅが励起光の光軸を１フレーム期間中の奇数回目（但し、１フレーム期間中の最終回を除く）に通過する期間に同期して、表示素子３が緑色映像を生成する。蛍光体層３４ｅが励起光の光軸を１フレーム期間中の最終回に通過する期間の前半では、表示素子３が赤色映像を生成し、その期間の後半では、表示素子３が緑色映像を生成する。拡散透過板３４ｆが励起光の光軸を１フレーム期間中の奇数回目及び偶数回目に通過する期間に同期して、表示素子３が青色映像を生成する。蛍光体層３４ｅが励起光の光軸を１フレーム期間中の偶数回目に通過する期間に同期して、表示素子３が赤色映像を生成する。
【０１０７】
蛍光体層３４ｅが励起光の光軸を１フレーム期間中の奇数回目（但し、１フレーム期間中の最終回を除く）に通過する期間中、及び、拡散透過板３４ｆが励起光の光軸を１フレーム期間中の各回目に通過する期間中に、励起光発生装置１０が点灯する。
【０１０８】
蛍光体層３４ｅが励起光の光軸を１フレーム期間中の偶数回目に通過する期間に同期して、励起光発生装置１０が消灯する。
【０１０９】
蛍光体層３４ｅが励起光の光軸を１フレーム期間中の最終回に通過する期間の前半では、励起光発生装置１０が消灯し、その期間の後半では、励起光発生装置１０が点灯する。
【０１１０】
光源３１は励起光発生装置１０の点滅の逆位相で点滅する。つまり、励起光発生装置１０の消灯に同期して光源３１が点灯し、励起光発生装置１０の点灯に同期して光源３１が消灯する。
【０１１１】
蛍光体層３４ｅが励起光の光軸を１フレーム期間中の奇数回目（但し、１フレーム期間中の最終回を除く）に通過する期間中、及び、拡散透過板３４ｆが励起光の光軸を１フレーム期間中の各回目に通過する期間中に、光源３１が消灯する。
【０１１２】
蛍光体層３４ｅが励起光の光軸を１フレーム期間中の偶数回目に通過する期間に同期して、光源３１が点灯する。
【０１１３】
蛍光体層３４ｅが励起光の光軸を１フレーム期間中の最終回に通過する期間の前半では、光源３１が点灯し、その期間の後半では、光源３１が消灯する。
【０１１４】
従って、光学板３４及びスピンドルモーター３３の回転周期が表示素子３の周期の（２×ｎ＋１）分の１であるとしたら、蛍光体層３４ｅが励起光の光軸を通過し始めてから通過し終わるまでの期間中に励起光発生装置１０の点灯及び光源３１の消灯が継続することは、１フレーム期間中にｎ回ある。また、蛍光体層３４ｅが励起光の光軸を通過し始めてから通過し終わるまでの期間中に励起光発生装置１０の消灯及び光源３１の点灯が継続することは、１フレーム期間中にｎ回ある。
【０１１５】
上述の実施形態では、励起光発生装置１０の点滅周期が光学板３４及びスピンドルモーター３３の回転周期の２倍であった。励起光発生装置１０の点滅周期が光学板３４及びスピンドルモーター３３の回転周期の偶数倍であれば、２倍に限るものではない。
【０１１６】
本発明の実施形態を説明した。本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
励起光を発する励起光発生装置と、
前記励起光の光軸に交差し、その交点を通った周方向に沿って蛍光領域及び光拡散透過領域が設けられた光学板と、
前記光学板を周方向に回転させる回転駆動器と、
前記励起光発生装置及び前記回転駆動器を制御する光源制御部と、を備え、
前記光源制御部は、前記光学板の回転周期を１フレームの映像が生成される１フレーム期間の２以上の整数分の１に制御するように前記回転駆動器を制御して、前記光学板を回転させ、
前記光源制御部は、前記蛍光領域が前記励起光の光軸を通過し始めてから通過し終わるまでの期間中に前記励起光発生装置を点灯させることを前記１フレーム期間中に一回以上行い、前記蛍光領域が前記励起光の光軸を通過し始めてから通過し終わるまでの期間中に前記励起光発生装置を消灯させることを前記１フレーム期間中に一回以上行う、
ことを特徴とする光源装置。
＜請求項２＞
前記光源制御部は、前記光拡散透過領域が前記励起光の光軸を通過する期間中に前記励起光発生装置を点灯させる、
ことを特徴とする請求項１に記載の光源装置。
＜請求項３＞
前記光源制御部は、前記光拡散透過領域が前記励起光の光軸を通過する期間中に前記励起光発生装置を点灯させることを前記１フレーム期間中に前記整数倍の数の回数だけ行う、
ことを特徴とする請求項２に記載の光源装置。
＜請求項４＞
前記励起光と異なる色の光を発する光源を更に備え、
前記光源制御部は、前記蛍光領域が前記励起光の光軸を通過し始めてから通過し終わるまでの期間中に前記励起光発生装置を消灯させて前記光源を点灯させ、前記蛍光領域が前記励起光の光軸を通過し始めてから通過し終わるまでの期間中に前記励起光発生装置を点灯させて前記光源を消灯させる
ことを特徴とする請求項１から３の何れか一項に記載の光源装置。
＜請求項５＞
前記光源制御部は、前記光拡散透過領域が前記励起光の光軸を通過する期間中に前記光源を消灯させる、
ことを特徴とする請求項４に記載の光源装置。
＜請求項６＞
請求項１から５の何れか一項に記載の光源装置と、
前記光源装置によって発せられた光が照射され、１フレームの映像を複数色の映像に時間で分割して１フレームの期間中に複数色の映像を生成する表示素子と、
前記表示素子によって生成される映像を投影する投影光学系と、
を備える、
ことを特徴とする投影装置。
＜請求項７＞
励起光を発する励起光発生装置と、
前記励起光の光軸に交差し、その交差する点を通った周方向に沿って蛍光領域及び光拡散透過領域が設けられた光学板と、
前記光学板を周方向に回転させる回転駆動器と、
前記回転駆動器を等速度で回転させるとともに、前記光学板の回転周期の偶数倍の周期で前記励起光発生装置を点滅させる光源制御部と、を備え、
前記光源制御部は、前記励起光発生装置の１点滅周期のうち前記蛍光領域が前記励起光の光軸を１回通過する期間中に前記励起光発生装置を消灯させ、残りの期間中に前記励起光発生装置を点灯させる、
ことを特徴とする光源装置。
＜請求項８＞
前記励起光と異なる色の光を発する光源を更に備え、
前記光源制御部が、前記励起光発生装置の点滅周期に等しい周期で且つ前記励起光発生装置の点滅の逆位相で前記光源を点滅させる、
ことを特徴とする請求項７に記載の光源装置。
＜請求項９＞
請求項７又は８に記載の光源装置と、
前記光源装置によって発せられた光が照射され、１フレームの映像を複数色の映像に時間で分割して１フレームの期間中に複数色の映像を生成する表示素子と、
前記表示素子によって生成される映像を投影する投影光学系と、
を備え、
前記表示素子の１フレームの周期が前記励起光発生装置の点滅周期の自然数倍である、
ことを特徴とする投影装置。
【符号の説明】
【０１１７】
１  光源装置
３  表示素子
４  投影光学系
１０  励起光発生装置
３１  光源
３３  スピンドルモーター（回転駆動器）
３４  光学板
３４ａ  第一セグメント（蛍光領域）
３４ｂ  第二セグメント（光拡散領域）
３４ｅ  蛍光体層
３４ｆ  光拡散透過板
７０  光源制御部
【図１】
2014170064.tif 000003
【図２】
2014170064.tif 000004
【図３】
2014170064.tif 000005
【図４】
2014170064.tif 000006
【図５】
2014170064.tif 000007
【図６】
2014170064.tif 000008